(57)【要約】【課題】通信モジュール内蔵型メモリカードは、従来ホスト機器と合わせ使用する際、そのメモリに蓄積されたファイルをリモートの通信接続した機器とリンク制御やデータを送受信する場合、ホスト・カード間での頻繁なバスアクセスが必要とされるという課題があった。【解決手段】通信モジュール内蔵型メモリカードに、リモート通信設定手段、ファイルアクセス手段を設け、ホストから通信コマンドを行うことなくカードのみでリモート先通信装置とのリンク制御を行い、さらには、ホスト・カード間のバスを経由せず、カードのメモリデバイスにファイルデータをリード・ライトすることができる。【選択図】  図３
2005025433.tif 000002
【特許請求の範囲】
【請求項１】
ホスト機器と合わせて使用され、リモート先通信装置と通信を行う、通信モジュール内蔵型メモリカードであって、
ホスト・カード間の入出力制御を行う入出力制御手段と、前記入出力制御手段を介して、前記ホスト・カード間の通信制御手順のための通信コマンド処理を行う通信制御手段と、前記リモート先通信装置との通信接続手順を記憶するリモート通信設定記憶手段と、前記リモート先通信装置とのリンク制御をカード・ホスト間の通信制御手順の通信コマンドと前記リモート通信設定記憶手段が記憶する通信接続手順により行うリンク制御手段と、前記通信制御手段を介して前記ホスト機器とのデータの送受信を行うデータ送受信手段と、前記メモリデバイスにデータのリード・ライト処理を行うメモリ蓄積手段と、前記メモリデバイスへのデータのリード・ライト処理を、前記メモリ蓄積手段を介して制御するメモリ制御手段とを備えたことを特徴とする通信モジュール内蔵型メモリカード。
【請求項２】
メモリ蓄積手段を介してメモリデバイスに対してデータをリード・ライトする処理を行うファイルアクセス手段を備え、
前記データ送受信手段を介してリモート先通信装置と送受信したデータの前記メモリデバイスへのリード・ライトを、前記ファイルアクセス手段を介して行うことを特徴とする請求項１記載の通信モジュール内蔵型メモリカード。
【請求項３】
ホスト機器と合わせて使用され、リモート先通信装置と通信を行う、通信モジュール内蔵型メモリカードであって、
前記メモリデバイスにファイルのリード・ライト処理を行うメモリ制御手段と、前記メモリデバイスにファイルを蓄積するメモリ蓄積手段と、前記メモリ蓄積手段を介して前記メモリデバイスに対してデータをリード・ライトする処理を行うファイルアクセス手段と、前記リモート先通信装置との通信接続手順を記憶するリモート通信設定記憶手段と、前記リモート通信設定記憶手段より前記通信接続手順を読み出し、前記リモート先通信装置との通信手順を実行するリンク制御手段と、前記リモート先通信装置とのデータの送受信を行うデータ送受信手段とを備え、
前記リンク制御手段、前記データ送受信手段は、前記通信接続手順、前記メモリデバイスとのデータの送受信を、前記ファイルアクセス手段と前記メモリ蓄積手段を介して、行うことを特徴とする通信モジュール内蔵型メモリカード。
【発明の詳細な説明】
【０００１】
【発明の属する技術分野】
本発明は、メモリデバイスを備え、かつ通信モジュールを内蔵する通信モジュール内蔵型カードに関するものである。
【０００２】
【従来の技術】
従来、通信モジュール内蔵型カードは、ＰＣカードに通信モジュールを内蔵し、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）インタフェースによるパソコン用の通信モジュール内蔵型カードが知られている。また、近年、小型サイズのメモリデバイスを搭載したメモリカードも開発され、通信などの入出力インタフェースに対応したメモリとのコンボカードの開発も行われている。また、無線通信カードにおいて、簡単かつ低コストで携帯型電子機器での利用に好適な無線通信カードも開発されている（例えば、特許文献１参照）。
【０００３】
図４、図５に従来の通信モジュール内蔵型メモリカードのブロック図を示す。通信モジュール内蔵型メモリカード１００（カード１００）は、カードを挿入するホスト機器（ローカル機器３００）と合わせて、動作するものである。
【０００４】
まず、ホスト２００側の構成について説明する。２０１はホスト・カード間のバスを制御するホストコントローラ、２０２はカード１００の通信モジュールを駆動し、入出力制御のためのカード１００とのバスコマンド処理を行う入出力（ＩＯ）制御手段、２０３はリモート先通信装置４００とのリンク制御をカード１００に要求するため、カード１００との通信制御コマンド処理を行うリンク制御手段、２０４はリモート先通信装置４００とのリンク制御確立後、カード１００との通信制御コマンド処理、リモート先通信装置４００とデータ通信チャネル確立処理、リモート先通信装置４００とのデータ送受信を行うデータ送受信手段、２０５はホスト２００のリンク制御やファイル転送などのデータ送受信の処理に基づき要求・通知される通信制御手段、２０６はカード１００のメモリデバイスにファイルをリード・ライトするためのメモリ制御のバスコマンド処理を行うファイル制御手段、２０７はホスト２００の要求に基づき、ファイルの送受信を行うため、カード１００のメモリにファイルのリード・ライト処理を要求するファイルアクセス手段である。
【０００５】
次に、カード１００側の構成について説明する。１０１はホスト・カード間のバスを制御するカードコントローラ、１０２はホスト２００との通信モジュールを駆動する入出力制御のためのコマンド処理を行う入出力（ＩＯ）制御手段、１０３はホスト２００とのリンク制御やファイル転送などのデータ送受信の要求・通知される通信コマンド処理を行う通信制御手段、１０４はホスト２００からの通信コマンドに基づき、リモート先通信装置４００とのリンク制御処理を通信手段１０６に要求するリンク制御手段、１０５はリモート先通信装置４００とのリンク制御確立後、データ通信チャネルの確立処理を行い、ホスト２００からの通信コマンド処理に基づき、リモート先通信装置４００とのデータ送受信を、通信手段１０６を介して行うデータ送受信手段、１０６はリモート先通信装置４００との通信処理を行う通信手段、１０７はカード１００のメモリデバイス１０９にファイルをリード・ライトするため、メモリ制御のバスコマンド処理を行うメモリ制御手段、１０８はカード１００内のメモリデバイス１０９にファイルを蓄積するメモリ蓄積手段、１０９はメモリデバイスである。
【０００６】
上記のように構成されるホストと通信モジュール型メモリカードにおけるリモート先通信装置との通信処理とデータ送受信を伴うファイル転送についての動作を説明する。
【０００７】
まず、ホスト２００の通信制御手段２０５からカード１００にリモート先通信装置４００とのリンクを要求する。要求を受けたホストのリンク制御手段２０３はリンク制御手段１０４を駆動するための通信コマンドを発行する。発行された通信コマンドはＩＯ制御手段２０２、ホストコントローラ２０１を介してバスコマンド上に載せられ、カードコントローラ１０１を介して、カード１００のバスコマンドを処理するＩＯ制御手段１０２に通知される。ＩＯ制御手段１０２に通知された通信コマンドを処理するため、通信制御手段１０３は通信コマンドの処理を制御し、通信コマンドがリンク制御のコマンドである場合、リンク制御手段１０４を駆動し、通信手段１０６を介してリモート先通信装置４００との間でリンク制御確立のための通信制御の手順が実施される。リンク制御確立までの間に、ホスト・カード間においては、リモート先通信装置４００との間でリンク手順、認証手順などの処理を行うためにホスト・カード間の手順処理を行うことになる。
【０００８】
次に、リンク確立後、リモート先通信装置４００との間で、データ送受信を伴うファイル転送について説明する。リンク確立後、ホスト２００では、通信制御手段２０５がデータ送受信するためのチャネル確立指示を要求し、データ送受信手段２０４は、カード１００のデータ送受信手段１０５への通信コマンドを発行する。ＩＯ制御手段１０２を介して、通信コマンドを受けたデータ送受信手段１０５は、通信手段１０６を介して、リモート先通信装置４００とデータ送受信のチャネルを確立する。このとき、リモート先通信装置４００に対してファイル送信を行うときの手順を説明する。
【０００９】
予めカード１００のメモリデバイス１０９に蓄積されたファイルをリモート先通信装置４００に送信するファイル送信の手順について説明する。まず、リモート先通信装置４００からのメモリデバイス１０９に蓄積されたファイルのリスト情報の要求、通知処理を行う。リモート先通信装置４００のリスト情報の要求は、カード１００の通信手段１０６、データ送受信手段１０５、通信制御手段１０３、ＩＯ制御手段１０２、カードコントローラ１０１を介して、カード・ホスト間のバスコマンドでホスト２００に通知される。ホスト２００では、ホストコントローラ２０１、ＩＯ制御手段２０２、データ送受信手段２０４、通信制御手段２０５を経由して、ファイル転送手段２０８にリスト情報の要求を通知する。ファイル転送手段２０８は、ファイルアクセス手段２０７を経由し、ファイル制御手段２０６、ホストコントローラ２０１を介して、ホスト・カード間のバスコマンドを経由してカード１００に対してリスト情報の読み出し処理を行う。ホスト２００は、読み出したリスト情報をファイルアクセス手段２０７、ファイル転送手段２０８、通信制御手段２０５、データ送受信手段２０４、ＩＯ制御手段２０２、ホストコントローラ２０１を介して、カード１００に通知する。カード１００は、カードコントローラ１０１、ＩＯ制御手段１０２、通信制御手段１０３、データ送受信手段１０５を経由し、通信手段１０６を介して、リモート先通信装置４００に通知する。
【００１０】
以上のように、カード１００のメモリデバイス１０９に蓄積しているファイルのリスト情報をリモート先通信装置４００に提供するとき、カード・ホスト間ＩＦを経由して送信する。
【００１１】
次に、リモート先通信装置４００から要求されたファイルを送信する手順を説明する。リモート先通信装置４００のファイル送信の要求は、カード１００の通信手段１０６、データ送受信手段１０５、通信制御手段１０３、ＩＯ制御手段１０２、カードコントローラ１０１、カード・ホスト間のバスコマンドを経由してホスト２００に通知される。ホスト２００は、ホストコントローラ２０１、ＩＯ制御手段２０２、データ送受信手段２０４、通信制御手段２０５を介して、ファイル転送要求をファイル転送手段２０８に通知する。ファイル転送手段２０８は、ファイルアクセス手段２０７、ファイル制御手段２０６、ホストコントローラ２０１を介して、ホスト・カード間ＩＦのバスコマンドで、ファイルのデータの読み出しを行う。カード１００は、メモリ制御手段１０７、メモリ蓄積手段１０８を介して、メモリデバイス１０９からファイル送信のためのデータを読み出し、ホスト２００に通知する。ホスト２００は、通知されたファイル送信のデータをファイルアクセス手段２０７、ファイル転送手段２０８、通信制御手段２０５、データ送受信手段２０４、ＩＯ制御手段２０２、ホストコントローラ２０１を介して、カード１００に通知する。カード１００は、カードコントローラ１０１、ＩＯ制御手段１０２、通信制御手段１０３、データ送受信手段１０５を経由し、通信手段１０６を介して、リモート先通信装置４００にデータを送信する。
【００１２】
以上のように、カードのメモリデバイスに蓄積しているファイルのデータをリモート先通信装置に送信するとき、カード・ホスト間を経由して送信する。また、リモート先通信装置からのファイル受信においても、送信時と逆手順での処理を必要とする。
【００１３】
【特許文献１】
特開２００２−１７１３０３号公報
【００１４】
【発明が解決しようとする課題】
しかしながら、上記のような従来の構成では、リモート先通信装置との通信制御のため、ホスト・カード間ＩＦの通信コマンドの手順が複数回発生し、ホストにおける通信手順管理を行うことが必要であり、リモート先通信装置とカードだけで通信リンク制御を行うことができないという問題点を有していた。
【００１５】
また、メモリデバイスに蓄積されたファイルのデータを送受信するとき、ファイルのデータを一旦ホストに読み出し、さらに通信制御手段に通知し、再度カードのＩＯ制御手段に通知するため、カード・ホスト間のバス負荷を抑えることができないという問題点を有していた。
【００１６】
また、ＩＯ制御手段を備えていないホストでは、リモート先通信装置との通信制御、メモリデバイスに蓄積されたファイルをデータ送受信できないという問題点を有していた。
【００１７】
以上のことから、通信モジュール内蔵型メモリカードにおいては、カードとホスト間のバス負荷の軽減、通信処理のスループットの向上、及び既存のホスト機器であるメモリ機能のみを搭載したホスト機器が容易に通信処理を行うことができる機能が要求されている。
【００１８】
本発明は、カードとホスト間のバス負荷の軽減とカード利用のホストの容易な通信制御、及びメモリ機能のみを搭載したホスト機器により容易に通信処理を行うことができる通信モジュール内蔵型メモリカードを提供することを目的とする。
【００１９】
【課題を解決するための手段】
この課題を解決するために、本発明の通信モジュール内蔵型メモリカードは、リモート通信設定記憶手段がリモート先通信装置との通信接続手順を記憶し、リンク制御手段が、リモート先通信装置とのリンク制御をカード・ホスト間の通信制御手順の通信コマンドとリモート通信設定記憶手段が記憶する通信接続手順により行う。
【００２０】
また、ファイルアクセス手段が、リモート先通信装置と送受信したデータのメモリデバイスへのリード・ライトを、ファイルアクセス手段を介して行う。
【００２１】
【発明の実施の形態】
以下、本発明の実施の形態について、図１から図３を用いて説明する。
【００２２】
（実施の形態１）
本実施の形態では、カード側にリモート通信装置の通信手順を保持し、この情報を用いて、リモート先通信装置との通信を実行する場合について説明する。
【００２３】
図１は本実施の形態における通信モジュール内蔵型メモリカードの構成を示すブロック図である。図１において、図４に示す、ホストおよび内蔵型メモリカードと同様に機能するものについては、同一の符号を付して、説明を省略する。図１において、１１０はリモート先通信装置の通信接続手順を記憶するリモート通信設定記憶手段である。なお、リモート通信設定記憶手段１１０は、メモリデバイス１０９内に格納されてもよい。
【００２４】
上記のように構成されるホストと通信モジュール型メモリカードにおけるリモート先通信装置との通信接続処理について動作を説明する。
【００２５】
まず、ホスト２００の通信制御手段２０５から、カード１００にリモート先通信装置とのリンク接続要求として、リンク先識別ＩＤをリンク制御手段２０３、ＩＯ制御手段２０２、ホストコントローラ２０１を介して、ホスト−カード間ＩＦを経由し、カードコントローラ１０１、ＩＯ制御手段１０２、通信制御手段１０３を介してリンク制御手段１０４に通知される。リンク制御手段１０４はホスト２００から要求されたリンク先識別ＩＤに該当する通信接続手順を、リモート通信設定記憶手段１１０から読み出し、通信手段１０６を介して、順次リモート機器と通信接続処理を実施し、通信接続処理が終了後、通信制御手段１０３、ＩＯ制御手段１０２、カードコントローラ１０１を介して、ホスト−カード間ＩＦを経由し、リンク先識別ＩＤをホストコントローラ２０１、ＩＯ制御手段２０２を介して、ホストの通信制御手段２０５に通信接続処理結果を通知する。
【００２６】
本処理手順では、ホスト・カード間のコマンドのやり取りが、従来技術に比べ、減少させることができる。また、通信接続処理手順の管理もすべてカード内で行う事ができる。
【００２７】
上記２点より、本手順によりホスト側の処理負荷を低減できるという顕著な効果が得られる。
【００２８】
（実施の形態２）
本実施の形態では、リモート先通信装置と送受信するデータを、ホスト機器を介することなく、カード内のメモリデバイスとアクセスして、データの送受信を行う場合を説明する。
【００２９】
図２は本実施の形態における通信モジュール内蔵型メモリカードの構成を示すブロック図である。図２において、実施の形態１と同様に機能するものについては、同一の符号を付して説明を省略する。図２において、１１１はホストの要求に基づき、ファイルの送受信をカード内のメモリに直接実行するカードファイルアクセス手段である。
【００３０】
上記のように構成されるホスト２００と通信モジュール型メモリカード１００におけるリモート先通信装置とのファイル転送手順について、以下その動作について説明する。
【００３１】
リモート先通信装置に対してファイル送信を行う場合、ファイル転送手段２０８はファイルアクセス手段２０７に対してファイルの送信要求を行い、ファイルアクセス手段２０７は、ファイル制御手段２０６、ホストコントローラ２０１を介し、ホスト・カード間ＩＦを経由して、カードコントローラ１０１、ＩＯ制御手段１０２、通信制御手段１０３を介して、データ送受信手段１０５に対して、メモリデバイス１０９のデータ送信要求を行う。データ送受信手段１０５は、ファイルアクセス手段１１１を利用して、メモリ蓄積手段１０８を介して、メモリデバイス１０９からホストから送信要求のあったファイルの読み出しを行い、通信手段１０６を使用して、リモート先通信装置に対して、ファイルの送信を行う。送信処理が終了後、データ送受信手段１０５は、通信制御手段１０３、ＩＯ制御手段１０２、カードコントローラ１０１を介して、ホスト・カード間ＩＦを経由して、ホストコントローラ２０１、ファイル制御手段２０６を介して、ファイルアクセス手段２０７、ファイル転送手段２０８に対して、ファイル送信結果の通知を行う。
【００３２】
ホスト２００は、ファイル送信時に送信するファイルをカード１００内のメモリデバイス１０９から読み込みを行うことと、送信するファイルをカード内のデータ送受信手段１０５に通知する必要がないため、ホストデータ送受信処理負荷、ホスト・カード間ＩＦ処理負荷を低減できるという顕著な効果が得られる。
【００３３】
同様に、リモート先通信装置からファイル受信を行う場合、データ送受信手段１０５は、リモート先通信装置から通信手段１０６を介して、ファイルを受信し、受信したファイルをデータ送受信手段１０５はファイルアクセス手段１１１、メモリ蓄積手段１０８を利用して、メモリデバイス１０９に対して、書き込みを行う。ファイル受信が終了後、データ送受信手段１０５は、通信制御手段１０３、ＩＯ制御手段１０２、カードコントローラ１０１を介して、ホスト・カード間ＩＦを経由して、ホストコントローラ２０１、ファイル制御手段２０６を介して、ファイルアクセス手段２０７、ファイル転送手段２０８に対して、ファイル受信結果の通知を行う。
【００３４】
ホストはファイル受信時に、受信したファイルをデータ送受信手段１０５から受信を行うことと、受信したファイルをカード内のメモリデバイス１０９に書き込みを行う必要がないため、ホストデータ送受信処理負荷、ホスト・カード間ＩＦ処理負荷を低減できるという顕著な効果が得られる。
【００３５】
（実施の形態３）
本実施の形態では、リンク制御手段、データ送受信手段を備えていないホストが、ファイル制御手段のみで、リモート先通信装置に対して、通信制御及びメモリデバイスに蓄積されたファイルの送受信を行う処理について説明する。
【００３６】
図３は本実施の形態における通信モジュール内蔵型メモリカードの構成を示すブロック図である。図３において、実施の形態２と同様に機能するものについては、同一の符号を付して、説明を省略する。図３と実施の形態２の図２との相違点は、ホスト２００は、データ送受信手段２０４、リンク制御手段２０３を備えず、カード１００はＩＯ制御手段１０２、通信制御手段１０３を備えていない点である。
【００３７】
上記のように構成されるホストと通信モジュール型メモリカードにおけるリモート先通信装置とのファイル転送手順について、以下その動作について説明する。
【００３８】
リンク制御手段２０３、データ送受信手段２０４を備えていないホストがリモート先通信装置に対して、ファイルの送信を行う場合、まず、リモート先通信装置とリンク接続を行う必要がある。リンク接続を行う場合、通信制御手段２０５は、ファイルアクセス手段２０７に対して、ファイル転送先を指定する手段と同等の手段にて、リンク接続先ＩＤを通知する。ファイルアクセス手段２０７は、ファイル制御手段２０６、ホストコントローラ２０１を介して、ホスト・カード間ＩＦを経由して、カードコントローラ１０１、メモリ制御手段１０７を介して、カード１００内のファイルアクセス手段１１１に通知する。ファイルアクセス手段１１１は、リンク制御手段１０４にリンク先識別ＩＤを指定し、リンク制御手段１０４は、リンク先識別ＩＤに該当する通信接続手順を、リモート通信設定記憶手段１１０から読み出し、通信手段１０６を介して、順次リモート機器と通信接続処理を実施する。
【００３９】
次に、ファイルの送信を行う場合、ファイル転送手段２０８はファイルアクセス手段２０７に対してファイルの送信要求を行い、ファイルアクセス手段２０７は、ファイル制御手段２０６、ホストコントローラ２０１を介し、ホスト・カード間ＩＦを経由して、カードコントローラ１０１、メモリ制御手段１０７、ファイルアクセス手段１１１を介して、カード内のデータ送受信手段１０５に対して、メモリデバイス１０９のデータ送信要求を行う。データ送受信手段１０５は、ファイルアクセス手段１１１を利用して、メモリ蓄積手段１０８を介して、メモリデバイス１０９からホストから送信要求の合ったファイルの読み出しを行い、通信手段１０６を使用して、リモート先通信装置に対して、ファイルの送信を行う。一連の通信制御及びファイル送信処理の終了後、ファイルアクセス手段１１１は、メモリ制御手段１０７、カードコントローラ１０１を介し、ホスト・カード間ＩＦを経由し、ホストコントローラ２０１、ファイル制御手段２０６を介して、ホストのファイルアクセス手段２０７にファイル送信処理の一連の結果を通知する。
【００４０】
同様に、ファイル受信時は、通信手段１０６を経由してリモート先通信装置から要求されたリンク接続をリンク制御手段１０４が、リモート先通信装置に該当する接続手段をリモート通信設定記憶手段１１０から読み出しを行い、リンク接続手順を実施する。リンク接続処理が終了後、リモート先通信装置からファイル受信を行う場合、データ送受信手段１０５は、リモート先通信装置から通信手段１０６を介して、ファイルを受信する。受信したファイルをデータ送受信手段１０５はファイルアクセス手段１１１、メモリ蓄積手段１０８を利用して、メモリデバイス１０９に対して、ファイルの書き込みを行う。ファイル受信が終了後、データ送受信手段１０５は、ファイルアクセス手段１１１、メモリ制御手段１０７、カードコントローラ１０１を介して、ホスト・カード間ＩＦを経由して、ホストコントローラ２０１、ファイル制御手段２０６を介して、ファイルアクセス手段２０７、ファイル転送手段２０８に対して、ファイル受信処理の一連の結果を通知する。
【００４１】
上記のようにリンク制御手段、データ送受信手段を備えていないホストがリモート先通信装置に対してファイルの送受信が行う事ができ、従来のファイルアクセスのホストでも、通信モジュールの機能を使用することができるという顕著な効果が得られる。
【００４２】
【発明の効果】
以上のように本発明によれば、ホスト・カード間の通信制御に関するコマンドによるバス負荷軽減を図ることができるとともにホスト側の処理負荷も軽減できる。
【００４３】
また、カード内にファイルアクセス手段を設けることにより、ホスト・カード間におけるファイルデータをホストに上げることなく、カード内のメモリに蓄積することができ、データ送受信のためのコマンドによるバス負荷を軽減するだけでなく、ホスト側の処理負荷を軽減できる。
【００４４】
さらに、ホスト側にＩＯ制御のための構成を設けることなく、従来のファイルアクセスのホストでも、通信モジュールの機能を使用することができ、カードの利用範囲を広げることができるという効果をもたらす。
【図面の簡単な説明】
【図１】本発明の実施の形態１における通信モジュール内蔵型メモリカードの構成を示すブロック図
【図２】本発明の実施の形態２における通信モジュール内蔵型メモリカードの構成を示すブロック図
【図３】本発明の実施の形態３における通信モジュール内蔵型メモリカードの構成を示すブロック図
【図４】従来の通信モジュール内蔵型メモリカードとホスト構成を示すブロック図
【図５】通信モジュール内蔵型メモリカード、ホスト、およびリモート先通信装置の構成を示したブロック図
【符号の説明】
１００  カード
１０１  カードコントローラ
１０２、２０２  ＩＯ制御手段
１０３、２０５  通信制御手段
１０４、２０３  リンク制御手段
１０５、２０４  データ送受信手段
１０６  通信手段
１０７  メモリ制御手段
１０８  メモリ蓄積手段
１０９  メモリデバイス
１１０  リモート通信設定記憶手段
１１１、２０７  ファイルアクセス手段
２００  ホスト
２０１  ホストコントローラ
２０６  ファイル制御手段
【図１】
2005025433.tif 000003
【図２】
2005025433.tif 000004
【図３】
2005025433.tif 000005
【図４】
2005025433.tif 000006
【図５】
2005025433.tif 000007